(57)【要約】【課題】インク組成物が低含有量で染料を含む場合に、吐出安定性及び保存安定性に優れた昇華転写用インクジェットインク組成物を提供する。【解決手段】分散染料と分散剤と界面活性剤と水とを含み、当該界面活性剤は硫酸エステル系界面活性剤とＨＬＢ値が６．０以下であるアセチレングリコール系界面活性剤とを含み、当該硫酸エステル系界面活性剤に対する当該アセチレングリコール系界面活性剤の質量比が０．００３以上１０以下である、昇華転写用インクジェットインク組成物。【選択図】なし【特許請求の範囲】
【請求項１】
分散染料と、分散剤と、界面活性剤と、水と、を含み、
前記界面活性剤は、硫酸エステル系界面活性剤と、ＨＬＢ値が６．０以下であるアセチレングリコール系界面活性剤と、を含み、
前記硫酸エステル系界面活性剤に対する前記アセチレングリコール系界面活性剤の質量比が、０．００３以上１０以下である、
昇華転写用インクジェットインク組成物。
【請求項２】
前記分散染料の含有量が、前記昇華転写用インクジェットインク組成物の総量に対して、０．０１質量％以上３．０質量％以下である、
請求項１に記載の昇華転写用インクジェットインク組成物。
【請求項３】
前記分散染料は、Ｃ．Ｉ．ディスパースブルー３５９である、
請求項１又は２に記載の昇華転写用インクジェットインク組成物。
【請求項４】
前記分散剤は、芳香族スルホン酸の塩のホルマリン縮合物を含む、
請求項１〜３のいずれか一項に記載の昇華転写用インクジェットインク組成物。
【請求項５】
前記硫酸エステル系界面活性剤の含有量が、前記昇華転写用インクジェットインク組成物の総量に対して、０．１質量％以上３．０質量％以下である、
請求項１〜４のいずれか一項に記載の昇華転写用インクジェットインク組成物。
【発明の詳細な説明】
【技術分野】
【０００１】
本発明は、昇華転写用インクジェットインク組成物に関する。
【背景技術】
【０００２】
インクジェット記録方法は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、高画質で堅牢性が高く色ムラの無い印字安定性に優れた捺染用インクジェットインクセットとして、同一の分散染料を含有する濃色インク及び淡色インクの組み合わせを有する捺染用インクジェットインクセットにおいて、前記濃色インクと淡色インクの吸光度残存率比（濃色／淡色）が０．７以上１．７以下であり、かつ、分散染料に対する分散剤の比が濃色インクよりも淡色インクのほうが大きいことを特徴とする捺染用インクジェットインクセットが開示されている。
【先行技術文献】
【特許文献】
【０００４】
【特許文献１】特開２００５−２７２５１８号公報
【発明の概要】
【発明が解決しようとする課題】
【０００５】
ここで、特許文献１に記載されている捺染用インクジェットインクは、分散染料に対する分散剤の比が濃色インクよりも淡色インクのほうが大きいことを特徴としている。淡色インクに含有する分散剤の量を、濃色インクにおける分散染料に対する分散剤の比よりも大きくして含有させることで、画質を向上させることはできるものの、インク中に色材に由来する異物が生じたり、インクの消泡性が悪化してインクの吐出が不安定になる場合がある。一方で、その淡色インクにさらに消泡剤を添加すると、消泡性は改善させることはできるが、分散染料の粒子径が増大して、インクの保存安定性が悪くなる場合がある。
【０００６】
そこで、本発明は、上述の課題の少なくとも一部を解決するためになされたものであり、インク組成物が低含有量で色材を含む場合に、吐出安定性及び保存安定性に優れた昇華転写用インクジェットインク組成物を提供することを目的とする。
【課題を解決するための手段】
【０００７】
本発明者らは、上記従来技術の課題を解決すべく鋭意検討した結果、色材としての分散染料と分散剤と界面活性剤と水とを含み、当該界面活性剤が硫酸エステル系界面活性剤とＨＬＢ値が６．０以下であるアセチレングリコール系界面活性剤とを含み、当該硫酸エステル系界面活性剤に対する当該アセチレングリコール系界面活性剤の質量比が所定の範囲内にある昇華転写用インクジェットインク組成物を用いることにより、インク組成物が低含有量で色材を含む場合に吐出安定性及び保存安定性に優れることを見出し、本発明を完成させた。
【０００８】
すなわち、本発明に係る昇華転写用インクジェットインク組成物は、分散染料と、分散剤と、界面活性剤と、水と、を含み、前記界面活性剤は、硫酸エステル系界面活性剤と、ＨＬＢ値が６以下であるアセチレングリコール系界面活性剤と、を含み、前記硫酸エステル系界面活性剤に対する前記アセチレングリコール系界面活性剤の質量比が、０．００３以上１０以下である。このような昇華転写用インクジェットインク組成物が本発明の課題を解決できる要因は下記のように考えている。ただし、要因はこれに限定されない。すなわち、本発明に係る昇華転写用インクジェットインク組成物が、ＨＬＢ値が６．０以下であるアセチレングリコール系界面活性剤を含むことを主因として、インク組成物が低含有量で分散染料を含む場合に、優れた消泡性が得られる。その結果、本発明に係る昇華転写用インクジェットインク組成物は、吐出安定性に優れる。一方、本発明に係る昇華転写用インクジェットインク組成物が、上記アセチレングリコール系界面活性剤と硫酸エステル系界面活性剤とを共に含み、かつ当該硫酸エステル系界面活性剤に対する当該アセチレングリコール系界面活性剤の質量比が１０以下であることを主因として、インク組成物が低含有量で分散染料を含む場合に、色材の分散安定性に優れる。その結果、本発明に係る昇華転写用インクジェットインク組成物は、色材由来の異物が発生することを抑制し、粒子径の増大も抑制し、保存安定性に優れる。
【０００９】
本発明に係る昇華転写用インクジェットインク組成物において、前記分散染料の含有量が、前記昇華転写用インクジェットインク組成物の総量に対して、０．０１質量％以上３．０質量％以下であると好ましく、前記分散染料の分子量が、３８０以下であると好ましく、前記分散染料は、Ｃ．Ｉ．ディスパースブルー３５９であると好ましく、前記分散剤は、芳香族スルホン酸の塩のホルマリン縮合物を含むと好ましく、前記硫酸エステル系界面活性剤の含有量が、前記昇華転写用インクジェットインク組成物の総量に対して、０．１質量％以上３．０質量％以下であると好ましい。
【発明を実施するための形態】
【００１０】
以下、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。
【００１１】
〔昇華転写用インクジェットインク組成物〕
本実施形態の昇華転写用インクジェットインク組成物（以下、単に「インク組成物」ともいう。）は、分散染料と分散剤と界面活性剤と水とを含む。また、その界面活性剤は、硫酸エステル系界面活性剤と、ＨＬＢ値が６．０以下であるアセチレングリコール系界面活性剤とを含む。さらに、上記硫酸エステル系界面活性剤に対する上記アセチレングリコール系界面活性剤の質量比は、０．００３以上１０以下である。このような昇華転写用インクジェットインク組成物が、吐出安定性及び保存安定性に優れる要因は下記のように考えている。ただし、要因はこれに限定されない。すなわち、本実施形態の昇華転写用インクジェットインク組成物が、ＨＬＢ値が６．０以下であるアセチレングリコール系界面活性剤を含むことを主因として、インク組成物が低含有量で分散染料を含む場合に、優れた消泡性が得られる。その結果、本実施形態の昇華転写用インクジェットインク組成物は、吐出安定性に優れる。一方、本実施形態の昇華転写用インクジェットインク組成物が、上記アセチレングリコール系界面活性剤と硫酸エステル系界面活性剤とを共に含み、かつ当該硫酸エステル系界面活性剤に対する当該アセチレングリコール系界面活性剤の質量比が１０以下であることを主因として、インク組成物が低含有量で分散染料を含む場合に、色材の分散安定性に優れる。その結果、本実施形態の昇華転写用インクジェットインク組成物は、色材由来の異物が発生することを抑制し、粒子径の増大も抑制し、保存安定性に優れる。
【００１２】
本実施形態の昇華転写用インクジェットインク組成物は、例えば、インクジェット捺染に用いられる。本実施形態における「捺染」とは、被記録媒体（代表的なものは布帛）上にインクを記録（印刷）することをいう。また、本実施形態における「インクジェット捺染」とは、インクジェット方式を利用して中間転写媒体にインクを記録（印刷）した後、中間転写媒体から被記録媒体上にインクを記録（転写印捺）することをいい、インクジェット記録の一種である。すなわち、本実施形態において、インクジェット方式を利用するのは、被記録媒体への最終的な記録の際ではなく、後に詳述する中間転写媒体への記録の際である。「記録物」とは、被記録媒体上にインクが記録されて画像が形成されたものをいう。
【００１３】
上記のインクジェット捺染では、インク組成物を、インクジェット装置に装填して使用する。当該インクジェット装置としては、特に限定されないが、例えばドロップオンデマンド型のインクジェット装置が挙げられる。このドロップオンデマンド型のインクジェット装置には、ヘッドに配設された圧電素子を用いたインクジェット捺染方法を採用した装置などがある。
【００１４】
＜分散染料＞
本実施形態のインク組成物は、分散染料を含む。また、分散染料は、昇華性染料であることが好ましい。ここで「昇華性染料」とは、加熱により昇華する性質を有する染料をいう。
【００１５】
分散染料としては、特に限定されないが、例えば、イエロー分散染料、オレンジ分散染料、レッド分散染料、バイオレット分散染料、グリーン分散染料、ブラウン分散染料、ブルー分散染料、及びブラック分散染料が挙げられる。
【００１６】
イエロー分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、及び２３２が挙げられる。
【００１７】
オレンジ分散染料としては、特に限定されないが、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、及び１４２が挙げられる。
【００１８】
レッド分散染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２６６、２７７、２７８、２７９、２８１、２８８、２９８、３０２、３０３、３１０、３１１、３１２、３２０、３２４、及び３２８が挙げられる。
【００１９】
バイオレット分散染料としては、特に限定されないが、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、及び７７が挙げられる。
【００２０】
グリーン分散染料としては、特に限定されないが、例えば、Ｃ．Ｉ．ディスパースグリーン９が挙げられる。
【００２１】
ブラウン分散染料としては、特に限定されないが、例えば、Ｃ．Ｉ．ディスパースブラウン１、２、４、９、１３、１９が挙げられる。
【００２２】
ブルー分散染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３４、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２６８、２７０、２８４、２８５、２８７、２８８、２９１、２９３、２９５、２９７、３０１、３１５、３３０、３３３、３５９、及び３６０が挙げられる。
【００２３】
ブラック分散染料としては、特に限定されないが、例えば、Ｃ．Ｉ．ディスパースブラック１、３、１０、及び２４が挙げられる。
【００２４】
上記例示した分散染料は、いずれも水に不溶または難溶の化合物であるが、後述する芳香族スルホン酸のホルマリン縮合物が分散剤として機能することによって、特定の濃度範囲であれば水に対して良好に分散することができると推察される。また、上記例示した分散染料は、分散性や溶解性において若干の差異がある。すなわち、分散染料の種類によっては、分散剤の好適な濃度範囲が異なるし、分散剤による溶解性も異なる。例えば、上記分散染料のうち、Ｃ．Ｉ．ディスパースブルー３５９等は、芳香族スルホン酸のホルマリン縮合物に対して若干の溶解性を示し、この性質によって、針状結晶等の再結晶化物（異物）を生じやすい。上記分散染料のうち、Ｃ．Ｉ．ディスパースブルー３５９が、本実施形態のインク組成物に含まれる場合には、より異物が生じ易い分散染料を用いるにもかかわらず異物を生じにくいため、優れた保存安定性が得られる傾向にある。
【００２５】
また、このような分散染料としては、置換基を有してもよいアントラキノン骨格を有する分散染料、置換基を有してもよいアゾ骨格を有する分散染料が挙げられる。このなかでも、置換基を有してもよいアントラキノン骨格を有する分散染料が好ましい。分散染料がアントラキノン骨格を有する分散染料であることにより、ノズル内壁などの記録装置に対するインク組成物の濡れ性がより向上し、吐出安定性がより向上する傾向にある。置換基としては、特に限定されないが、例えば、ハロゲン基、ヒドロキシル基、アミノ基、ニトロ基、及びカルボキシル基が挙げられる。
【００２６】
インク組成物に含まれる分散染料の含有量は、インク組成物の総量（１００質量％）に対して、好ましくは０．０１質量％以上３．０質量％以下であり、より好ましくは０．２質量％以上２．０質量％以下であり、さらに好ましくは０．５質量％以上１．５質量％以下であり、よりさらに好ましくは０．７質量％以上１．３質量％以下である。分散染料の含有量が０．０１質量％以上であることにより、得られる染色物の光学濃度がより向上し、３．０質量％以下であることにより、吐出安定性がより向上する傾向にある。
【００２７】
また、本実施形態のインク組成物は、インク組成物が低含有量で分散染料を含む場合に、本発明の作用効果をより確実に奏する。ここで、「低含有量で分散染料を含む」とは、インク組成物が分散染料を含むものの、その含有量が３．０質量％以下であることを意味し、好ましくは、その含有量が２．０質量％以下であり、より好ましくは、その含有量が１．５質量％以下である。
【００２８】
分散染料は、１種を単独で又は２種以上を組み合わせて用いられる。
【００２９】
＜分散剤＞
インク組成物は、分散剤を含む。インク組成物が分散剤を含むことにより、インク組成物における分散染料の分散安定性が優れ、インク組成物の保存安定性、吐出安定性が優れる。分散剤としては、特に限定されないが、例えば、アニオン系分散剤、ノニオン系分散剤、及び高分子分散剤が挙げられる。
【００３０】
アニオン系分散剤としては、特に限定されないが、例えば、芳香族スルホン酸の塩（例えばナトリウム塩）若しくはそのホルマリン縮合物、β−ナフタレンスルホン酸の塩若しくはそのホルマリン縮合物、アルキルナフタレンスルホン酸の塩若しくはそのホルマリン縮合物、及び、クレオソート油スルホン酸の塩若しくはそのホルマリン縮合物が挙げられる。
【００３１】
上記芳香族スルホン酸としては、特に限定されないが、例えば、クレオソート油スルホン酸、クレゾールスルホン酸、フェノールスルホン酸、ナフタレンスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物、及びリグニンスルホン酸が挙げられる。
【００３２】
ノニオン系分散剤としては、特に限定されないが、例えば、フィトステロールのエチレンオキサイド付加物、及びコレスタノールのエチレンオキサイド付加物が挙げられる。
【００３３】
高分子分散剤としては、特に限定されないが、例えば、ポリアクリル酸部分アルキルエステル、ポリアルキレンポリアミン、ポリアクリル酸塩、スチレン−アクリル酸共重合物、及びビニルナフタレン−マレイン酸共重合物が挙げられる。
【００３４】
上述した分散剤の中では、アニオン系分散剤が好ましく、芳香族スルホン酸の塩又はそのホルマリン縮合物がより好ましく、芳香族スルホン酸の塩のホルマリン縮合物がさらに好ましい。このような分散剤を用いることにより、分散安定性がより優れ、保存安定性がより優れる傾向にある。
【００３５】
分散剤の含有量は、分散染料の総量（１００質量部）に対して、好ましくは１．０質量部以上２００質量部以下であり、より好ましくは５０質量部以上１５０質量部以下であり、さらに好ましくは７５質量部以上１２５質量部以下である。分散剤の含有量が上記範囲であることにより、分散染料の分散安定性がより向上する傾向にある。
【００３６】
また、インク組成物を淡色インクとする場合、分散剤（芳香族スルホン酸のホルマリン縮合物）の濃度が高いと、分散染料に対する分散剤の割合が高まり、分散染料を溶解させやすくなるので、分散剤の濃度も低下させるほうがより好ましい。その場合、インク組成物中における分散染料の存在個数や分散剤分子の個数が、他の成分に対して相対的に減少する。そうすると、インク組成物内で、分散染料と分散剤との出会いの頻度が小さくなり、その結果、分散染料全体における分散剤が吸着していない分散染料の割合が高まり、分散染料の分散性が悪くなる傾向がある。これに対して、本実施形態のインク組成物では、このような場合に、分散剤の濃度を高めることなく、分散染料の分散性を高く維持することができる。
【００３７】
＜界面活性剤＞
本実施形態のインク組成物は、硫酸エステル系界面活性剤と、ＨＬＢ値が６．０以下であるアセチレングリコール系界面活性剤とを含む。インク組成物がこれらの界面活性剤を含むことにより、吐出安定性及び保存安定性に優れる。
【００３８】
硫酸エステル系界面活性剤としては、特に限定されないが、例えば、アルキル硫酸塩、ヒマシ油硫酸エステル塩、ラウリルアルコール硫酸エステル塩、ポリオキシエチレンアルキルエーテル硫酸塩が挙げられる。硫酸エステル系界面活性剤は、１種単独で使用してもよいし、２種以上を併用してもよい。
【００３９】
硫酸エステル系界面活性剤の含有量は、インク組成物の総量（１００質量％）に対して、好ましくは０．１質量％以上３．０質量％以下であり、より好ましくは０．５質量％以上２．０質量％以下である。硫酸エステル系界面活性剤の含有量が０．１質量％以上であることにより、分散安定性に優れることに起因して保存安定性に優れる傾向にあり、また、硫酸エステル系界面活性剤の含有量が３．０質量％以下であることにより、異物の発生を抑制することに起因して保存安定性に優れる傾向にある。
【００４０】
アセチレングリコール系界面活性剤のＨＬＢ値は、６．０以下であり、好ましくは５．５以下であり、より好ましくは５．０以下である。アセチレングリコール系界面活性剤のＨＬＢが６．０以下であることにより、吐出安定性に優れる。ここで、本明細書におけるＨＬＢ値は、グリフィン法で定義される。アセチレングリコール系界面活性剤は、１種単独で使用してもよいし、２種以上を併用してもよい。アセチレングリコール系界面活性剤を２種以上併用する場合には、ＨＬＢ値は加重平均して求められる。
【００４１】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール６１（ＨＬＢ値：６）、サーフィノール１０４Ｓ（ＨＬＢ値：４）、サーフィノール１０４ＰＧ５０（ＨＬＢ値：４）、サーフィノール４２０（ＨＬＢ値：４）、サーフィノール８２（ＨＬＢ値：４）、サーフィノールＤＦ１１０Ｄ（ＨＬＢ値：３）（日信化学工業社（Nissin Chemical Industry CO.,Ltd.）製商品名）が挙げられる。
【００４２】
硫酸エステル系界面活性剤に対するアセチレングリコール系界面活性剤の質量比は、０．００３以上１０以下であり、好ましくは０．０５以上１．０以下であり、より好ましくは０．０５以上０．３以下である。当該質量比が０．００３以上であることにより、分散安定性に優れることに起因して保存安定性に優れ、また、当該質量比が１０以下であることにより、異物の発生を抑制することに起因して保存安定性に優れる。
【００４３】
本実施形態のインク組成物は、硫酸エステル系界面活性剤及びアセチレングリコール系界面活性剤以外の界面活性剤（以下、「その他の界面活性剤」ともいう。）をさらに含んでもよい。その他の界面活性剤としては、例えば、フッ素系界面活性剤、及びシリコーン系界面活性剤が挙げられる。
【００４４】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、及びパーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）が挙げられる。フッ素系界面活性剤は、１種単独で使用してもよいし、２種以上を併用してもよい。
【００４５】
シリコーン系界面活性剤としては、特に限定されないが、例えば、ポリシロキサン系化合物、及びポリエーテル変性オルガノシロキサンが挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）が挙げられる。シリコーン系界面活性剤は、１種単独で使用してもよいし、２種以上を併用してもよい。
【００４６】
インク組成物が上述したその他の界面活性剤を含む場合は、その他の界面活性剤はシリコーン系界面活性剤であることが好ましく、ポリエーテル変性オルガノシロキサンであることがより好ましい。このようなシリコーン系界面活性剤を用いることにより、より確実に本発明の作用効果を奏することができる傾向にある。
【００４７】
その他の界面活性剤の含有量は、インク組成物の総量（１００質量％）に対して、好ましくは０．１質量％以上３．０質量％以下であり、より好ましくは０．５質量％以上２．０質量％以下である。その他の界面活性剤の含有量がこのような範囲内にあることにより、より確実に本発明の作用効果を奏することができる傾向にある。
【００４８】
界面活性剤の含有量は、インク組成物の総量（１００質量％）に対して、好ましくは０．１質量％以上１５．０質量％以下であり、より好ましくは１．０質量％以上１０．０質量％以下である。界面活性剤の含有量が上記範囲内であることにより、吐出安定性及び保存安定性に優れる傾向にある。
【００４９】
＜有機溶剤＞
インク組成物は、有機溶剤をさらに含んでもよい。有機溶剤を含むことにより、長期放置時によるヘッドからの水分蒸発を効果的に抑制しつつ、中間記録媒体への濡れ性を高めてインク組成物の浸透性がより向上し、吐出安定性及び目詰まり回復性も向上する傾向にある。
【００５０】
有機溶剤の種類としては、特に限定されないが、例えば、ポリオール化合物、グリコールエーテル、糖類、及びベタイン化合物が挙げられる。
【００５１】
ポリオール化合物としては、例えば、分子内の炭素数が２以上６以下であり、かつ、分子内にエーテル結合を１つ有してもよいポリオール化合物（好ましくはジオール化合物）が挙げられる。具体例としては、例えば、グリセリン、エチレングリコール、ジエチレングリコール、トリエチレングリコール、プロピレングリコール、ジプロピレングリコール、１，３−プロパンジオール、１，２−ブタンジオール、１，３−ブタンジオール、１，４−ブタンジオール、２，３−ブタンジオール、３−メチル−１，３−ブタンジオール、１，２−ペンタンジオール、１，５−ペンタンジオール、２−メチル−２，４−ペンタンジオール、３−メチル−１，５−ペンタンジオール、１，２−ヘキサンジオール、及び１，６−ヘキサンジオールが挙げられる。
【００５２】
グリコールエーテルとしては、特に限定されないが、エチレングリコール、ジエチレングリコール、トリエチレングリコール、プロピレングリコール、ジプロピレングリコールおよびトリプロピレングリコールから選択されるグリコールのモノアルキルエーテルが好ましい。より具体的には、トリエチレングリコールモノメチルエーテル、トリエチレングリコールモノブチルエーテル、およびジプロピレングリコールモノプロピルエーテルが好ましく例示できる。
【００５３】
糖類とは、単糖類、二糖類、オリゴ糖類（三糖類および四糖類を含む）及び多糖類をいう。糖類としては、特に限定されないが、例えば、トレオース、エリトルロース、エリトロース、アラビノース、リブロース、リボース、キシロース、キシルロース、リキソース、グルコース、フルクトース、マンノース、イドース、ソルボース、グロース、タロース、タガトース、ガラクトース、アロース、プシコース、アルトロース、マルトース、イソマルトース、セロビオース、ラクトース、スクロース、トレハロース、イソトレハロース、ゲンチオビオース、メリビオース、ツラノース、ソホロース、イソサッカロース、グルカン、フルクタン、マンナン、キシラン、ガラクツロナン、マンヌロナン、Ｎ−アセチルグルコサミン重合体等のホモグリカン；ジヘテログリカン、トリへテログリカン等のヘテログリカン；マルトトリオース、イソマルトトリオース、パノース、マルトテトラオース、及びマルトペンタオースが挙げられ、好ましくは、トレハロースが例示できる。
【００５４】
ベタイン化合物とは、正電荷と負電荷を同一分子内の隣り合わない位置に持ち、正電荷をもつ原子には解離しうる水素原子が結合しておらず、分子全体としては電荷を持たない化合物（分子内塩）である。好ましいベタイン化合物は、アミノ酸のＮ−アルキル置換体であり、より好ましくはアミノ酸のＮ−トリアルキル置換体である。ベタイン化合物としては、特に限定されないが、例えば、トリメチルグリシン（「グリシンベタイン」ともいう。）、γ−ブチロベタイン、ホマリン、トリゴネリン、カルニチン、ホモセリンベタイン、バリンベタイン、リジンベタイン、オルニチンベタイン、アラニンベタイン、スタキドリン、及びグルタミン酸ベタインが挙げられ、好ましくは、トリメチルグリシンが例示できる。
【００５５】
インク組成物に含まれる有機溶剤の含有量は、インク組成物の総量（１００質量％）に対して、好ましくは１．０質量％以上９０質量％以下であり、より好ましくは１０質量％以上７０質量％以下であり、さらに好ましく３０質量％以上５０質量％以下である。有機溶剤の含有量が上記範囲内であることにより、被記録媒体に付着したインク組成物の乾燥性がより向上する傾向にあり、インク組成物の吐出安定性を確保できる傾向にある。
【００５６】
＜水＞
インク組成物は、水を含む。水としては、特に限定されないが、例えば、イオン交換水、限外濾過水、逆浸透水、蒸留水等の純水、及び超純水が好ましい。また、これらの水を紫外線照射又は過酸化水素添加等により滅菌処理した水は、長期間に亘ってカビやバクテリアの発生がより防止される傾向にあるため、より好ましい。
【００５７】
水の含有量は、インク組成物の総量（１００質量％）に対して、好ましくは５０質量％以上９０質量％以下であり、より好ましくは５５質量％以上８５質量％以下であり、さらに好ましくは６０質量％以上８０質量％以下である。
【００５８】
＜その他の添加剤＞
インク組成物は、さらに必要に応じて、防腐防黴剤、酸化防止剤、紫外線吸収剤、キレート剤、酸素吸収剤、ｐＨ調整剤（例えば、トリエタノールアミン、アジピン酸、水酸化カリウム）、又は溶解助剤、その他、通常のインクにおいて用いることができる各種添加剤を含んでもよい。なお、各種添加剤は、一種単独で用いても、二種以上を併用してもよい。
【００５９】
＜インク組成物の物性＞
本実施形態に係るインク組成物は、記録品質とインクジェット記録用のインクとしての信頼性とのバランスの観点から、２５℃における表面張力が１０ｍＮ／ｍ以上４０ｍＮ／ｍであることが好ましく、２２ｍＮ／ｍ以上３０ｍＮ／ｍ以下であることがより好ましい。なお、表面張力の測定は、自動表面張力計ＣＢＶＰ−Ｚ（協和界面科学社製）を用いて、２５℃の環境下で白金プレートをインクで濡らしたときの表面張力を確認することにより測定することができる。
【００６０】
また、同様の観点から、インク組成物の２０℃における粘度は、２．０ｍＰａ・ｓ以上１５ｍＰａ・ｓ以下であることが好ましく、２．０ｍＰａ・ｓ以上５．０ｍＰａ・ｓ以下であることがより好ましく、２．０ｍＰａ・ｓ以上３．８ｍＰａ・ｓ以下であることがさらに好ましい。なお、粘度は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６１】
また、同様の観点から、インク組成物の２０℃における分散時の色材の体積平均粒子径は、動的光散乱法で計測した場合の最大粒径が、好ましくは５００ｎｍ未満で平均粒径が３００ｎｍ以下であり、より好ましくは平均粒径が２００ｎｍ以下である。
【００６２】
本実施形態のインク組成物は、下記で説明するインクジェット記録方法に用いられることが好ましい。
【００６３】
＜インクジェット記録方法＞
本実施形態に係るインク組成物は、紙、布帛等の記録媒体へ前述のインク組成物を記録するインクジェット記録方法に好適に用いることができる。また、本実施形態に係るインク組成物は、分散染料を含有するので、昇華転写を利用した布帛等に対する染色方法（昇華転写インクジェット記録方法）に特に好適に用いることができる。
【００６４】
昇華転写を利用した染色方法としては、例えば、紙等のシート状の中間転写媒体（第１記録媒体）に昇華性染料を含むインク組成物を用いてインクジェット方式による印刷を行う方法がある。さらに好ましくは、布帛等の被記録媒体（第２記録媒体）に上記で印刷された中間転写媒体を重ねて、加熱により昇華転写する方法がある。
【００６５】
昇華転写インクジェット記録方法は、インク組成物を第１記録媒体の記録面に付着させる工程と、第１記録媒体の記録面に第２記録媒体を配置する工程と、第１記録媒体及び前記第２記録媒体を加熱する工程と、を有する。換言すると、昇華転写インクジェット記録方法（染色物の製造方法）は、インクジェット法を用いて、上述したようなインク組成物を中間転写媒体に付与するインク付与工程と、インク組成物が付与された中間転写媒体を、インク組成物が付与された面と被染色物の染色面とを対向させた状態で加熱し、分散染料を被染色物に転写させる転写工程とを有する。これにより、生産性良く染色物を製造することができるインク組成物を用いた染色物の製造方法を提供することができる。以下、各工程について説明する。
【００６６】
（インク付与工程）
本工程では、インクジェット法を用いて、インク組成物を中間転写媒体（第１記録媒体）の記録面に付与する。インクジェット法によるインク組成物の吐出は、液滴吐出装置（例えば後述のインクジェット記録装置）を用いて行うことができる。
【００６７】
液滴吐出方式（インクジェット法の方式）としては、ピエゾ方式や、インクを加熱して発生した泡（バブル）によりインクを吐出させる方式等を用いることができるが、インク組成物の変質のし難さ等の観点から、ピエゾ方式が好ましい。また、発明者の検討によれば、薄膜ピエゾ方式の記録ヘッドにおいて、インク組成物に加わるシェアレートは、１００ｓ-1程度であることが分かっており、本実施形態に係るインク組成物においてより好ましいシェアレートである。
【００６８】
中間転写媒体としては、例えば、普通紙等の紙、インク受容層が設けられた記録媒体（インクジェット用専用紙、コート紙等で呼称される）等を用いることができるが、シリカ等の無機粒子を含有するインク受容層が設けられた紙がより好ましい。これにより、中間転写媒体に付与されたインク組成物が乾燥する過程で、記録面に滲み等が抑制された中間記録物を得ることができる。また、このような媒体であれば、さらに記録面の表面に分散染料を留めやすく、後の転写工程において、分散染料の昇華をより効率的に行うことができる。
【００６９】
本工程では、複数種のインク組成物を用いてもよい。これにより、例えば表現することのできる色域をより広いものとすることができる。
【００７０】
（転写工程）
その後、インク組成物が付与された中間転写媒体の記録面を、被染色物と対向させた状態（第１記録媒体の記録面に第２記録媒体を配置した状態）で加熱し、インク組成物を構成する分散染料を被染色物に転写させる。これにより、布帛等の被染色物とした染色物が得られる。
【００７１】
本工程での加熱温度は、特に規定されるものではないが、好ましくは１６０℃以上２２０℃以下であり、より好ましくは１７０℃以上２１０℃以下であり、特に好ましくは１７０℃以上２００℃以下である。これにより、分散染料を被染色物に転写させるのに十分なエネルギーを与えることができ、染色物の生産性を優れたものとすることができる。
【００７２】
本工程での加熱時間は、加熱温度にもよるが、３０秒以上９０秒以下、好ましくは４０秒以上７０秒以下であり、特に好ましくは４５秒以上６０秒以下である。これにより、分散染料を被染色物に転写させるのに十分なエネルギーを得ることができ、染色物の生産性を特に優れたものとすることができる。
【００７３】
また、本工程は、インク組成物が付与された中間転写媒体を、被染色物と対向させた状態で加熱することにより行えばよいが、中間転写媒体と被染色物とを密着させた状態で加熱することにより行うことがより好ましい。これにより、例えば、より鮮明な画像を第２記録媒体に記録する（染色する）ことができる。
【００７４】
被染色物としては、例えば、布帛（疎水性繊維布帛等）、樹脂（プラスチック）フィルム等のシート状の物が好適に用いられるが、シート状以外の球状、直方体形状等の立体的な形状を有する物を用いてもよい。
【００７５】
また、被染色物としては、例えば、樹脂、プラスチックで構成されたもののほか、ガラス、金属、陶磁器を用いてもよい。被染色物としての布帛を構成する繊維としては、例えば、ポリエステル繊維、ナイロン繊維、トリアセテート繊維、ジアセテート繊維、ポリアミド繊維及びこれらの繊維を２種以上用いた混紡品等が挙げられる。また、これらとレーヨン等の再生繊維あるいは木綿、絹、羊毛等の天然繊維との混紡品を用いてもよい。
【００７６】
また、被染色物としての樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。樹脂（プラスチック）フィルムは、複数の層が積層された積層体であってもよいし、材料の組成が傾斜的に変化する傾斜材料で構成されたものであってもよい。
【００７７】
このような昇華転写インクジェット記録方法によれば、本実施形態に係るインク組成物を用いるため、気泡の発生が抑制され、または気泡が発生しても消泡できるので、吐出安定性が良好となる。
【００７８】
布帛を含む被記録媒体としては、布帛そのものであってもよいが、布帛が樹脂粒子を含む前処理液で前処理されたものであることが好ましい。布帛が前処理されていることにより、より摩擦堅牢性に優れた記録物が得られる傾向にある。
【実施例】
【００７９】
以下、本発明を実施例及び比較例を用いてより具体的に説明する。本発明は、以下の実施例によって何ら限定されるものではない。
【００８０】
［インク組成物用の材料］
下記の実施例及び比較例において使用したインク組成物用の主な材料は、以下の通りである。
〔分散染料〕
ＤＲ３５９（Ｃ．Ｉ．Ｄｉｓｐｅｒｓｅ  Ｂｌｕｅ  ３５９）
〔分散剤〕
ＮＳＦ（ナフタレンスルホン酸ナトリウムのホルマリン縮合物）
リグニンスルホン酸ナトリウムのホルマリン縮合物
〔界面活性剤〕
ラムテルＷＸ（ポリオキシエチレンアルキルエーテル硫酸ナトリウム、花王社製）
ＤＦ１１０Ｄ（アセチレングリコール系界面活性剤、ＨＬＢ値：３、日信化学工業社製）
ＢＹＫ３４８（ポリエーテル変性ポリジメチルシロキサン、シリコーン系界面活性剤、ビックケミー・ジャパン社製）
〔有機溶剤〕
ＧＬ（グリセリン）
ＰＧ（プロピレングリコール）
ＭＴＧ（トリエチレングリコールモノメチルエーテル）
〔ｐＨ調整剤〕
ＴＥＡ（トリエタノールアミン）
〔水〕
純水
【００８１】
［インク組成物の調製］
各成分（材料）を下記の表１に示す組成で混合し、十分に撹拌し、各インク組成物を得た。なお、下記の表１中、数値の単位は質量％であり、合計は１００．０質量％である。
【００８２】
〔吐出安定性〕
上記で得られたインク組成物を、インクジェットプリンター（製品名「ＳｕｒｅＣｏｌｏｒ  ＳＣ−Ｆ６０００」、セイコーエプソン社製）にそれぞれ充填した。次に、印字解像度７２０×７２０ｄｐｉ、単色・塗りつぶし印刷、印字幅１２００ｍｍの条件で、１０分連続運転を行った。その後、以下の基準に従い、吐出安定性を評価した。
Ａ：吐出不良のノズル数及び吐出方向がずれたノズル数が、全体のノズル数に対して０個である。
Ｂ：吐出不良のノズル数及び吐出方向がずれたノズル数が、全体のノズル数に対して１〜９個である。
Ｃ：吐出不良のノズル数及び吐出方向がずれたノズル数が、全体のノズル数に対して１０〜２０個以上である。
Ｄ：吐出不良のノズル数及び吐出方向がずれたノズル数が、全体のノズル数に対して２１個以上である。
【００８３】
〔保存安定性〕
上記で得られたインク組成物を、０．６５ｇ／２００ｍＬに純水で希釈し、粒度分布計「ＭｉｃｒｏＴｒａｃ  ＵＰＡ」（日機装社製）にて分散染料の平均粒子径Ｄ５０を測定した。また、上記で得られたインク組成物をアルミパックに注入し、６０℃で５日間保存し、その後のインク組成物を０．６５ｇ／２００ｍＬに純水で希釈し、粒度分布計「ＭｉｃｒｏＴｒａｃ」にて分散染料の平均粒子径Ｄ５０を測定した。保存前後の平均粒子径Ｄ５０の差を算出し、以下の基準に従い、保存安定性を評価した。
Ａ：平均粒子径Ｄ５０の差が２０ｎｍ以下であった。
Ｂ：平均粒子径Ｄ５０の差が２０ｎｍ超４０ｎｍ以下であった。
Ｃ：平均粒子径Ｄ５０の差が４０ｎｍ超であった。
【００８４】
【表１】
2018053035.tif 000002